(57)【要約】  車両用の２部分式ラッチング収納囲壁部を装備したコンソールを開示する。このコンソールは基部、肘掛、収納囲壁部を設けている。基部は車両に結合している。肘掛は基部に結合しており、第１位置（第１占有者が肘掛として使用できる位置）と第２位置（第１占有者が収納囲壁部を利用できる位置）の間で移動する。収納囲壁部は格納位置と展開位置の間で移動可能になっている。第２占有者は、展開位置にある収納囲壁部を利用することができる。展開位置にある場合は、収納囲壁部の前部の収納スペースが拡大する（例えば、追加または別の品物を収容できる）。
2008529882.tif 000002
【特許請求の範囲】
【請求項１】
車両内に搭載するコンソールであって、
前記車両に結合した基部と、
前記基部に結合した収納囲壁部とを備え、
第１占有者が前記収納囲壁部を利用できるようにするために、前記収納囲壁部は前記基部と相対的に第１位置と第２位置の間で移動可能であり、
前記収納囲壁部は格納位置と展開位置の間で移動可能であり、第２占有者は前記収納囲壁部の前記展開位置において利用することができるコンソール。
【請求項２】
前記収納コンソールは直線方向へ移動可能である、請求項１に記載のコンソール。
【請求項３】
前記第１位置は前方位置であり、前記第２位置は後方位置である、請求項２に記載のコンソール。
【請求項４】
前記前方位置は格納位置であり、前記後方位置は展開位置である、請求項３に記載のコンソール。
【請求項５】
前記収納囲壁部は、１または複数の案内部によって、前記基部に摺動可能に結合する、請求項３に記載のコンソール。
【請求項６】
前記１または複数の案内部は１または複数のベアリングを備えている、請求項５に記載のコンソール。
【請求項７】
前記収納囲壁部は、１列目座席の占有者が操作するように構成された第１インターフェースと、２列目座席の占有者が操作するように構成された第２インターフェースを設けたラッチを備えている、請求項２に記載のコンソール。
【請求項８】
前記ラッチは、前記収納囲壁部を突起部から係合解除するようにアクセス部の周囲で旋回するように構成されている、請求項７に記載のコンソール。
【請求項９】
前記突起部は前記基部から延在する、請求項８に記載のコンソール。
【請求項１０】
前記ラッチは、前記ラッチを前記突起部と係合させるよう、前記ラッチを付勢するための付勢装置をさらに備えている、請求項８に記載のコンソール。
【請求項１１】
前記旋回部の前方にあたる前記ラッチの一部は、前記１列目座席の占有者が前記ラッチを操作すると上方へ旋回し、かつ、前記旋回部の後方にあたる前記ラッチの前記部分は、前記２列目着席の占有者が前記ラッチを操作すると下方へ旋回する、請求項１０に記載のコンソール。
【請求項１２】
前記基部に結合した概して水平なパネルをさらに備えており、ここで、前記収納囲壁部は前記パネルから独立しており、かつ、前記第１占有者が前記収納囲壁部を利用できるようにするために、前記収納囲壁部は、前記基部および前記肘掛と相対的に第１位置と第２位置の間で移動可能になっている、請求項１に記載のコンソール。
【請求項１３】
前記パネルは肘掛である、請求項１２に記載のコンソール。
【発明の詳細な説明】
【技術分野】
【０００１】
（関連出願の参照）
２００５年２月９日に提出された米国優先権仮出願第６０／６５１５８９号は、その明細書、図面、請求項、要約を含め、その全体が本明細書に参照により組み込まれる。
【０００２】
本発明は、一般的に、車両用の収納庫および保持システム、特にコンソールシステムの技術に関する。本発明の最も好ましい実施形態では、ビン（ｂｉｎ）が前後方向へ移動可能になっており、２列以上の座席の占有者がこれに接触できるようになっている。
【背景技術】
【０００３】
車内用のコンソールシステムは、一般的に知られている。こうした公知のコンソールシステムには、基部および／または車両床に、収納囲壁部および／または肘掛が形成されあるいは搭載されているものがある。しかし、こうした公知のコンソールシステムは構成が比較的不変的な傾向があり、２列以上の車両占有者はこれを利用することができない。コンソールおよび／または車両の使用者にとって、コンソールの利用可能な構成については、車両製造業者が提供するもの以外には選択肢が殆どない。
【発明の開示】
【発明が解決しようとする課題】
【０００４】
したがって、車内の２列以上の座席の占有者（例えば、２列座席型車内の１列目の占有者と後列の占有者）が利用できるよう（物理的および／または視覚的に）移動させることが可能なコンソールを提供することが有利である。さらに、旋回式の肘掛を介して、または収納ビンを前へ（前方へ）摺動させることにより、１列目の占有者がコンソールを利用できることが有利であり、さらに、収納ビンを後ろへ（後方へ）摺動させることにより、別の列の占有者がコンソールを利用できることが有利である。したがって、これらのうちの１つまたは複数の、もしくは別の有利な特徴を備えたコンソール収納囲壁部を提供することが望ましい。
【０００５】
上述の、またこれ以外の問題を回避することができる、高価でなく、信頼性が高く、幅広く適合可能なコンソール収納囲壁部を提供することは、技術上著しい進歩となる。
【課題を解決するための手段】
【０００６】
本発明の主な特徴は、上述の欠点を解決した上で、高価でなく、製造が簡単で、審美的に満足できるコンソール収納囲壁部を提供することである。
【０００７】
本発明の別の特徴は、複数の人物が利用できるコンソール収納囲壁部を提供することである。
【０００８】
本発明の別の特徴は、異なる座席配置にて着座している車両占有者が利用できるコンソール収納囲壁部を提供することである。
【０００９】
本発明の別の特徴は、異なる座席列に着座している占有者が利用できるラッチを設けたコンソール収納囲壁部を提供することである。
【００１０】
以下の好ましい、また他の例示的実施形態の詳細な説明では、図面と連係して、本発明のこれらおよびその他の利点と特徴を達成する方法について（個々に、一括して、あるいは様々なサブコンビネーションごとに）述べている。しかしながら、全体としては、これらの方法は基部、肘掛、収納コンソールを設けたコンソールにて達成される。基部は車両に結合している。肘掛は基部に結合しており、第１位置（第１占有者が肘掛として使用できる位置）と第２位置（第１占有者が収納囲壁部を利用できる位置）の間で移動（例えば旋回または平行移動）する。収納囲壁部は格納位置と展開位置の間で移動可能であり、ここで、第２占有者は収納囲壁部が展開位置にある場合にこれを利用することができる。
【００１１】
本発明のこれらおよびその他の利点と特徴は、基部内の格納位置と基部から少なくとも部分的に延びた展開位置との間で摺動する収納囲壁部を設けたコンソールによっても達成できる。
【００１２】
本発明のこれらおよびその他の利点と特徴は、異なる座席列に着座している占有者が収納囲壁部を、ラッチ解除して移動および利用できるようにすることが可能な、ラッチを設けたコンソールによっても達成できる。
【００１３】
本発明はさらに、開示された実施形態にて示され、そして説明される様々な特徴および特徴の組み合わせにも関する。開示された実施形態の目的と特徴を達成するその他の方法は以下の明細書で説明され、かつ、本明細書を読解すれば当業者にはその方法が明白となるだろう。こうした他の方法は開示された実施形態の範囲内に収まるものと考えられる。
【発明を実施するための最良の形態】
【００１４】
好ましくかつ例示的な実施形態の詳細な説明を行う前に、一般的な適用可能性およびその範囲についていくつかコメントする。
【００１５】
第一に、開示された実施形態の構成部品を、車両用の収納庫囲壁部／ビンとして例示するが、開示された実施形態の特徴の適用可能性はこれよりも幅広い。例えば、この収納庫囲壁部の設計は、様々な収納ユニット、ビン、コンテナ、及び、様々な範囲にいる使用者に使用および／または利用を有利に提供できる収納スペースあるいは表面を採用した他の車両環境に適用できる。さらに、様々な構成部品のサイズと、収納庫囲壁部およびコンソールのサイズとを幅広く変更することができる。
【００１６】
第二に、例示的な実施形態の構成に使用する特定の材料も例証的である。例えば、頂部と基部の作成には、射出成形した高密度ポリエチレンが、好ましい方法および材料である。しかし、別の材料の使用も可能であり、これには、ポリプロピレンのような他の熱可塑性樹脂、他のポリエチレン、アクリロニトリルブタジエンスチレン（「ＡＢＳ」）、ポリウレタンナイロン、多種のホモポリマープラスチックの任意のもの、共重合体プラスチック、特別な添加剤を含むプラスチック、充填プラスチック、その他がある。また、ブロー成形や回転成形などのような別の成形作業を用いて、これらの構成部品を形成することもできる。収納庫囲壁部またはコンソールの構成部品も、鋼鉄またはアルミニウムのような合金材料に押し型成形、押し出し成形、鋳造などを施して製造できる。
【００１７】
第三に、「収納庫囲壁部」、「ビン」、「コンソール」、「利用」といった用語は、限定の意味ではなく幅広い用語として用いられる点に留意することが重要である。これらの構成要素は、様々な製品または配列の任意のものと共に使用することができ、また、その使用に制限はない。「１列目」、「２列目」などは、制限の用語として参照されるのではなく、異なる２列の座席を区別するための一般的な参照として用いられる。コンソールは２列目と３列目の座席の間などにも使用することができる。
【００１８】
次に、好ましくかつ例示的な実施形態について説明する。図１〜図２は、例示的な実施形態によるコンソール１０を示す。コンソール１０は、基部１２、パネル（肘掛１４として示す）、収納庫囲壁部１６を装備している。コンソール１０は、一対の１列目座席の間に配置されるように構成されている（即ち「中心コンソール」である）。このようなものとしての収納庫囲壁部１６は、１列目の座席の占有者と、その後ろの座席の占有者が利用することができるように（即ち、物理的および／または視覚的に）構成されている。
【００１９】
基部１２は、車両の床に搭載するように構成されている。別の実施形態によれば、基部はレール上に搭載されているため、車両内部に再配置し、または、脱着および除去することができる。別の実施形態によれば、基部および／またはコンソールはモジュラー式であるため、車両内部に再配置、脱着、または除去などをすることが可能である。
【００２０】
肘掛１４は、コンソール１０の隣に着座している占有者が利用することができるよう（例えば、１列目の占有者がコンソール１０を）、軸周囲で旋回するように構成されている（この旋回は、例えば蝶番により提供される）。好ましい実施形態によれば、この軸は車両の側部（方向）に沿っているため、肘掛１４は後部に旋回する。別の実施形態によれば、軸は車両の前後方向へ延びているため、肘掛がその側部へと旋回することができる。例示的な実施形態によれば、肘掛は、前方（延伸）位置と後方（または収納）位置の間で移動可能である。別の実施形態では、パネルはビンの蓋であってよく、また、肘掛機能を提供することを目的としても、していなくてもよい。
【００２１】
収納庫囲壁部１６をビン１８として示しているが、様々な収納庫（例えば収納ユニット、引き出し、コンパートメント、トレイ、棚、その他）の任意のものであってよい。ビン１６は基部１２と結合しており、格納（引き込み）位置と展開（例えば延伸）位置の間で可動（例えば摺動可能）である。好ましい実施形態によれば、一対の案内部２０（例えばトラック、レール、滑動部、ベアリング、その他）は、ビン１８の前後方向への平行移動の動作を提供する。図にあるように、ビン１８には、１つの収納範囲２２が設けられている。しかし、これは、各列の占有者用の複数のおよび／または１つの範囲を提供するために、（例えばディバイダ、パネル、壁、織地、ネット、その他によって）分割されていてもよい。ビン１８は、１つの鋳造品、または結合させた複数の構成部品やパネル（例えばエンドキャップ、中央部材）であってよい。
【００２２】
ビン１８は、例えば１列目占有者がビンの前面を押すことによって、格納位置から展開位置へ移動される。あるいは、２列目占有者が、隙間２４（例えば指穴や開口部）からビンを握り、これを車両の後方へ引くことによって、格納位置から展開位置へ移動される。様々なユーザインターフェースのいずれかを使用して、占有者によるビンの移動を可能にすることもできる（例えばハンドル、ノブ、凹部、戻り止めなど）。
【００２３】
格納位置において、１列目占有者が、肘掛１４を持ち上げてビン１８の収納庫範囲２２を利用することができる。展開位置において、２列目占有者が、ビン１８の収納範囲２２を利用することができる。ビン１８は、展開位置にある場合に、その前面に位置したオープン収納範囲２６（例えば、トレイ、ビン、棚、コンパートメント、その他）が拡大する。ビンを後方位置へ滑らせると（中央２列目占有者がいないと仮定する）、コンソール収納容量が増える。コンソール収納容量の増加は有利である。こうして、オープン収納範囲２６により大型の品物（例えばバッグ、ハンドバッグ、装置など）を収容できるようになる。さらに、摺動ビンを充填することができ、この充填状態を保ったままで摺動工程全体を実施できる。移動を可能にすることにより、長期間の収納（例えばビン収納）を妨害することなく収納容量を増加できるようになることも利点である。
【００２４】
図３、図４に示す好ましい一実施形態によれば、コンソール１０は、ビン１８を格納位置および／または展開位置に解除可能に保持するように構成されたラッチ２８をさらに設けている。ラッチ２８を係合解除し、ビン１８に上述のとおりに力を付加することで、ビン１８を移動することができる。ラッチ２８は、ビン２８の上方部外縁の周囲に配置され、係合位置（ラッチがビンにロックまたは保持されて、ビンの移動が防止または禁止される）と係合解除位置（ビンが格納位置と展開位置の間で移動できる）の間で動作または移動させることが可能な、概して矩形の部材３０として示されている。部材３０は一体形成／鋳造するか、または、（例えばファスナー、ボルト留めなどにより）結合可能な別個の構成部品とすることができる。
【００２５】
ラッチ２８の部材３０は、前方ラッチインターフェース３２、後方ラッチインターフェース３４、旋回軸３６、付勢部材（ばね３８として示す）を含む。
【００２６】
図１、図７を参照すると、前方ラッチインターフェース３２は、１列目占有者がビン１８をラッチ解除できるように構成されている。前方ラッチインターフェース３２には、基部１２からラッチ２８へと延びた突起部４２と係合するか、またはビン１８を格納位置に保持する凹部４０が設けられている。１列目占有者は前方ラッチインターフェース３２の周囲に指を巻き付け、これを（例えば、肘掛１４に対して）引き上げる。突起４２と凹部４０が係合することで、ビン１８が格納位置から展開位置へ移動することを防止または禁止される。別の実施形態では、突起は基部上の様々な場所から延びていてよい。図６、図８に示すように、この突起は基部１２の壁４４に沿って延びており、少なくとも部分的にオープン収納範囲２６とビン１８を受容する空間４６との間の空間を分離（即ち分割）する。別の実施形態によれば、ビン１８はオープン収納範囲２６内へと前方に移動して、１列目占有者がこれを利用することが出来るように構成されている。別の実施形態によれば、突起はビンから延びて、基部上の凹部に係合することができる。
【００２７】
図２、図７を参照すると、後方ラッチインターフェース３４は、２列目占有者がビン１８をラッチ解除して、ビン１８が格納位置と展開位置の間で移動できるよう構成されている。好ましい実施形態によれば、２列目占有者が１または複数本の指を挿入して、部材３０（例えばロッカ）を押し下げた後、後ろ（後方）へ引くために、後方ラッチインターフェース３４には凹部付き表面４８が設けられている。表面４８は凹部付き、平坦または平面、その他であってよい。
【００２８】
好ましい実施形態によれば、ラッチ２８が旋回軸３６によってビン１８に搭載されることで、ラッチ２８がラッチ位置とラッチ解除位置の間で旋回できるようになる。旋回軸２８は部材３０と一体鋳造されており、また、ビン１８または肘掛１４に設けた開口部と係合することが好ましい。別の実施形態では、旋回軸は部材に一体鋳造されているか、またはビンが別の構成部品（例えばビン１８や、その他の部材または構成部品）の開口部と係合する。図４に示す例示的な実施形態では、旋回軸は、部材３０をビン１８に結合させる別個の構成部品（例えばピン５０）である（例えば支柱、軸、ピンなど）。
【００２９】
図４を参照すると、ばね３８はラッチ位置にあるラッチ２８（即ち旋回部材３０）を付勢するように構成されている。ラッチ２８をラッチ位置からラッチ解除位置へ移動または動作させるには、占有者が、ばね３８による付勢力に対抗するのに十分な力をラッチ２８に付加する。例示的な実施形態によれば、ばねはビンの突起部分（ｂｏｓｓ）に結合した圧縮ばねである。あるいは、ビンから延びた板ばねである。別の代替実施形態では、様々な付勢部材のいずれかを使用して、所望の付勢力を提供することができる。
【００３０】
図７を参照すると、１列目占有者がラッチ２８をラッチ位置からラッチ解除位置へ動作させる場合（例えば作動、ラッチ解除、移動、係合、係合解除など）、前方ラッチインターフェース３２を自分の指で握り、これを引き上げると、凹部４０が突起部４２から係合解除される。ラッチ解除位置において、ビン１８を後ろ（後方）へ押すことができる（あるいは、前方へ引くことで利用することができる）。
【００３１】
２列目占有者がラッチ２８をラッチ位置からラッチ解除位置へ動作させる場合には、２列目占有者が１または複数本の指を表面４８上に挿入し、これを押し下げることで、凹部４０が突起部４２から係合解除される。ラッチ解除位置において、ビン１８を後ろ（後方）へ引くことができる（または前方へ押すことができる）。別の実施形態によれば、ラッチを上述とは反対に、即ち、２列目占有者が後方ラッチインターフェースを押し上げ、１列目占有者が前方ラッチインターフェースを押し下げることができるように構成できる。
【００３２】
ビン１８を展開位置から格納位置へ移動させる場合には、凹部４０が突起部４２の縁を通過し、ばね３８の付勢力により適所へ旋回（例えばスナップ係合）するまで、前方ラッチインターフェース３２が突起部４２の或る角度を持ったまたはスレート付きの勾配部５２に沿って滑る。あるいは、突起部は任意の形状、位置、方位、場所、または構成などであってよい。
【００３３】
別の実施形態によれば、様々なラッチ機構のいずれかを使用することができ、また、コンソールの前面と裏面にてラッチが同方向に作動するように構成することができる（例えば、ビン側部に沿って軸の周囲で回転するラッチなど）。
【００３４】
好ましい、およびその他の例示的実施形態に示した収納囲壁部の要素の構造および配列は例示的のみである点に留意することも重要である。このラッチの設計により、引き出しまたは滑りビンを前面側、または後面あるいは裏面側のいずれかから解除して、異なる座席列に着座している占有者がこの引き出しやビンに接触もしくは利用できるようになる。本開示では本発明の少数の実施形態のみを詳細に説明したが、本開示を検討する当業者は、新規性の示唆および請求項の利点から大幅に逸脱しない限り、多くの変形例（例えば、サイズ、寸法、構造、形状の変更、また、様々な要素間の比率、パラメータの値、搭載配列、材料、色、方位、その他の変更）が可能であることを容易に理解するであろう。請求項は、以下の説明にて述べた、あるいは図面に例示した構成部品の構造および配列の詳細に限定されるものではないことが理解されるべきである。本発明は別の実施形態においても可能であり、また、様々な方法で実行または実施することができる。本明細書で採用している表現または用語は説明目的で採用されたものであり、限定として解釈されるべきでない点も理解すべきである。したがって、こうした変形例は全て添付の請求項の範囲内に包括されるものとする。工程または方法ステップの順番あるいは順序は、代替の実施形態に従って変更もしくは再順序付けすることができる。請求項では、任意の手段プラス機能節が、列挙した機能を実行するものとして本明細書で説明した構造を網羅し、また、構造的な同等物のみでなく同等物の構造をも網羅するものとする。また、添付の請求項で述べたとおりの本発明の精神を逸脱しない限り、好ましい、またこれ以外の例示的実施形態の設計、動作条件、配列に対して、別の代替品、変形例、変更、および／または省略を加えることも可能である。
【図面の簡単な説明】
【００３５】
【図１】例示的な実施形態によるコンソールの第１斜視図である。
【図２】ビンが展開位置にある場合の、図１のコンソールの後方斜視図である。
【図３】例示的な実施形態による収納ビンの斜視図である。
【図４】別の実施形態によるビンおよびラッチの展開図である。
【図５】基部内に搭載され、格納位置にあるビンの断片斜視断面図である。
【図６】ビンが展開位置にある場合の、図５のビンの断片斜視断面図である。
【図７】格納位置にあるビンを装備したコンソール囲壁部の側部断面図である。
【図８】ビンが展開位置にある場合の、図７のコンソール囲壁部の側部断面図である。
【図９】例示的な実施形態によるコンソール囲壁部システムの後部断面図である。
【図１０】例示的実施形態の旋回部の側部断面図である。
【図１】
2008529882.tif 000003
【図２】
2008529882.tif 000004
【図３】
2008529882.tif 000005
【図４】
2008529882.tif 000006
【図５】
2008529882.tif 000007
【図６】
2008529882.tif 000008
【図７】
2008529882.tif 000009
【図８】
2008529882.tif 000010
【図９】
2008529882.tif 000011
【手続補正書】
【提出日】平成19年10月10日(2007.10.10)
【手続補正１】
【補正対象書類名】特許請求の範囲
【補正対象項目名】全文
【補正方法】変更
【補正の内容】
【特許請求の範囲】
【請求項１】
車両内に搭載するコンソールであって、
前記車両に結合するように構成された基部と、
前記基部に結合した収納囲壁部とを備え、
第１占有者が前記収納囲壁部を利用できるよう、前記収納囲壁部は前記基部と相対的に第１位置と第２位置の間で移動可能であり、
前記収納囲壁部は格納位置と展開位置の間で移動可能であり、
前記展開位置は、第２占有者が利用することが出来るように構成されるコンソール。
【請求項２】
前記収納コンソールは直線方向へ移動可能である、請求項１に記載のコンソール。
【請求項３】
前記第１位置は前方位置であり、前記第２位置は後方位置である、請求項２に記載のコンソール。
【請求項４】
前記前方位置は前記格納位置であり、前記後方位置は前記展開位置である、請求項３に記載のコンソール。
【請求項５】
前記収納囲壁部は、１または複数の案内部によって、前記基部に摺動可能に結合する、請求項３に記載のコンソール。
【請求項６】
前記１または複数の案内部は１または複数のベアリングを備えている、請求項５に記載のコンソール。
【請求項７】
前記収納囲壁部は、１列目座席の占有者が操作するように構成された第１インターフェースと、２列目座席の占有者が操作するように構成された第２インターフェースを設けたラッチを備えている、請求項２に記載のコンソール。
【請求項８】
前記ラッチは、前記収納囲壁部を突起部から係合解除するように軸周囲で旋回するように構成されている、請求項７に記載のコンソール。
【請求項９】
前記突起部は前記基部から延在する、請求項８に記載のコンソール。
【請求項１０】
前記ラッチは、前記ラッチを前記突起部と係合させるよう、前記ラッチを付勢するための付勢装置をさらに備えている、請求項８に記載のコンソール。
【請求項１１】
前記旋回部の前方にあたる前記ラッチの一部は、前記１列目座席の占有者が前記ラッチを操作すると上方へ旋回し、かつ、前記旋回部の後方にあたる前記ラッチの前記部分は、前記２列目座席の占有者が前記ラッチを操作すると下方へ旋回する、請求項１０に記載のコンソール。
【請求項１２】
前記基部に結合した概して水平なパネルをさらに備えており、ここで、前記収納囲壁部は前記パネルから独立しており、かつ、前記第１占有者が前記収納囲壁部を利用できるようにするために、前記収納囲壁部は、前記基部および前記パネルに相対的に第１位置と第２位置の間で移動可能になっている、請求項１に記載のコンソール。
【請求項１３】
前記パネルは肘掛である、請求項１２に記載のコンソール。
【国際調査報告】
2008529882.tif 000012
2008529882.tif 000013